(57)【要約】【課題】  例えばＡＥＤ（自動対外式除細動器）などの非常用物品を収納する保管庫で使用する、不特定多数の人が鍵を使用せずに解錠できるが、鍵の所持者でないと施錠できない錠前装置を提供する。【解決手段】  錠前装置はカムロック錠１、戸板２、固定板３、弾性体４、弾性体５、止め板６、軸受７、押さえ板８、軸９、軸１０、ストッパー１１からなる。ストッパー１１は軸１０を中心に戸板２に倒れ込むように回動する。止め板６は軸９を中心に戸板２の内側へ入り込むように回動し、カムロック錠１のシリンダー部側面などに衝突して静止する。鍵を差し込み回すことで止め板６が連動、回動し、戸板外側に止め板６の一部がはみ出るとストッパー１１が引っ掛かりその状態を維持する。この時、戸板２の開口部２ｂからストッパー１１を外すことで、止め板６の固定を解除する。【選択図】図２
0003197691.tif 000002
【実用新案登録請求の範囲】
【請求項１】
引っ張りバネやゴムなどの弾性体とカムロック錠を用いる錠前装置であり、カムロック錠が配設された平面状の戸板に対して、固定板が取り付けられており、この固定板は止め板の受け面と止め板の回動軸とストッパーの回動軸を持っており、カムロック錠のシリンダー部と垂直な回動軸と傾斜面のある鉤形状部位を備えたストッパーが固定板に丸棒やネジなどの回動軸を介して固定され、ストッパーの鉤形状部位が引っ掛かる開口部、もしくはストッパーの鉤形状部位を受ける面を持ち、カムロック錠シリンダー部と平行な回動軸を持ちその同軸線上に軸受が取り付いている止め板がストッパーと同様に丸棒やネジなどの回動軸を介して固定板に固定されているが、止め板と固定板は弾性体で接続されており、弾性力で回動し、回動する止め板は例えばカムロック錠のシリンダー部側面に衝突させるなど、錠前装置に設けた障害物によって回動を妨げ静止する状態になっているが、カムロック錠に鍵を差し込み、回すことによって連動し、回動するカムはこの静止状態の止め板に衝突し、さらに鍵を回すとカムと止め板は連動し弾性体による回転方向とは逆向きに回動するが、一方ストッパーも固定板と弾性体で接続され、鉤形状部位が戸板に倒れ込むように回動する状態になっており、鍵を回すことで止め板はストッパーの鉤形状部位に衝突し、ストッパーは鉤形状部位の斜面部を止め板によって押し上げられ、ストッパーの弾性体による回動方向とは逆向きに回動し、止め板がストッパーの鉤形状部位を通過すると、ストッパーは再び弾性体によって鉤形状部位が戸板に倒れ込むように回動、戸板に衝突、静止し、止め板はストッパーの鉤形状部位によって衝突、引き留められ静止し、この時、止め板の一部は戸板の平面上外に露出するが、戸板のストッパーの回動を促すためにストッパーに直接干渉を行うための開口部からストッパーにストッパーの弾性体による回動方向とは逆向きに回動する力を直接触手などによりストッパーに加えると、ストッパーの鉤形状部位が浮き上がり、障害物のなくなった止め板は止め板の弾性体の力によって再び回動し、止め板は錠前装置に設けた障害物と衝突し、静止状態とすることを特徴とする錠前装置。
【考案の詳細な説明】
【技術分野】
【０００１】  本考案は、鍵を使わずに解錠するためのボタンを有する錠前装置に関する。
【背景技術】
【０００２】  戸、扉、蓋、引き出し、窓などの開閉を行うものには錠前装置を備えたものがあり、鍵による操作を行う事で施錠と解錠を行う。（例えば、特許文献１参照）。
【先行技術文献】
【特許文献】
【０００３】
【特許文献１】  特開２０１３−２１７９号公報
【考案の概要】
【考案が解決しようとする課題】
【０００４】  従来の錠前装置は鍵を所持していない人は解錠を行うことができず、人身や財産の保護、保安などの目的で用いられる一方で、例えばＡＥＤ（自動対外式除細動器）などの非常用物品を収納する保管庫で盗難防止の観点から錠前装置を用いて施錠を行ってしまうと、非常時には不特定多数の人が解錠を行えることが望ましいにも関わらず、解錠ができないという弊害が起き、また、不特定多数の人が鍵で解錠を行える場合は同時に施錠を行えるため、物品の状態が使用済みかそうでないか分からなくなる。本考案は鍵を所持していない不特定多数の人でも解錠ボタンを押して解錠はできるが、施錠を行う場合は鍵による操作が必要な錠前装置を提供することによって前述の欠点を解決しようとするものである。
【課題を解決するための手段】
【０００５】  以下、添付図面の符号を参照して説明する。
文中の垂直とは８５°ないし９５°の範囲内のものを指し、平行とは同一平面より±５°の範囲内のものを指し、同軸線上とは円筒面の中心軸の偏差が±５ｍｍの範囲内のものを指す。【０００６】  引っ張りバネやゴムなどの弾性体４とカムロック錠１を用いる錠前装置であり、カムロック錠１の鍵穴が開口している面を正面とし、正面と垂直で鍵穴の長手方向と平行な面を側面とし、正面に垂直かつ側面に垂直な面を平面とする。【０００７】  正面に平行で回動する軸１０を持ち、弾性体の取付部１１ｃを持ち、鉤形状部位１１ａを持ち、この鉤形状部位１１ａには傾斜面を備えたストッパー１１がある。【０００８】  ストッパー１１の鉤形状部位１１ａが引っ掛かる開口部、もしくはストッパーの鉤形状部位１１ａの受け面６ｃを持ち、正面と垂直に回動する軸９を持ち、軸９と同軸線上に軸受７が取り付いており、弾性体５の取付部６ｄを持つ止め板６がある。【０００９】  ストッパー１１の回動を促すためにストッパー１１に直接干渉を行うための開口部２ｂを持ち、カムロック錠１が配設された平面状の戸板２に対して、弾性体４の取付部３ａと弾性体５の取付部３ｃを持ち、軸９と同軸線上に穴３ｄを持ち、止め板６の受け面３ｅを持ち、ストッパー１１の軸１０と同軸線上な貫通穴３ｂを持つ固定板３が取り付けられており、ストッパー１１は固定板３と弾性体４で接続され、回動に用いる丸棒やネジなどの軸１０を介し、固定板３に取り付いており、ストッパー１１の鉤形状部位１１ａが戸板２に倒れ込むように回動する。【００１０】  止め板６は止め板６を押さえるための押さえ板８、もしくは回動に用いる軸９となるネジなどの頭と固定板３との間に隙間があるが挟まった状態で回動ができるよう固定され、また、止め板６と固定板３は弾性体５で接続されており、弾性力で正面と平行に回動し、回動する止め板６は例えばカムロック錠１のシリンダー部側面に衝突させるなど、錠前装置に設けた障害物によって回動を妨げ静止し、カムロック錠１に鍵を差し込み、回すことによって連動し、回動するカム１ａはこの静止状態の止め板６に衝突し、さらに鍵を回すとカム１ａと止め板６は連動し弾性体５による回転方向とは逆向きに回動し、止め板６はストッパー１１の鉤形状部位１１ａに衝突し、ストッパー１１は鉤形状部位１１ａの斜面部を止め板６によって押し上げられ、ストッパー１１の弾性体４による回動方向とは逆向きに回動し、止め板６がストッパー１１の鉤形状部位１１ａを通過すると、ストッパー１１は再び弾性体４によって鉤形状部位１１ａが戸板２に倒れ込むように回動、静止し、止め板６はストッパー１１の鉤形状部位１１ａによって衝突、引き留められ静止する。この時、止め板６の一部６ａは戸板２の平面上外に露出する。また、戸板２のストッパー１１の回動を促すためにストッパー１１に直接干渉を行うための開口部２ｂからストッパー１１にストッパー１１の弾性体４による回動方向とは逆向きに回動する力を直接触手などによりストッパー１１に加えると、ストッパー１１の鉤形状部位１１ａが浮き上がり、障害物のなくなった止め板６は止め板６の弾性体５の力によって再び回動し、止め板６は錠前装置に設けた障害物、例えばカムロック錠１のシリンダー部側面と���突し、静止する。
【考案の効果】
【００１１】  上述の様に、本考案の解錠ボタンを有する錠前装置は、例えばＡＥＤ（自動対外式除細動器）などの非常用物品を収納する保管庫での使用を目的とする場合、不特定多数の人が解錠を行うことができるが、鍵を所持していない人は施錠を行うことができないため、鍵の管理者は施錠されているかどうかで物品の使用状態を把握することが可能である。
【図面の簡単な説明】
【００１２】
【図１】本考案に係る錠装置の正面図であり、止め板とストッパーを隠線表示したものである。
【図２】本考案に係る錠装置の分解斜視図である。
【図３】本考案に係る錠装置のストッパーの位置関係を示した平面図である。
【図４】本考案に係る錠装置の止め板の位置関係を示した平面図である。
【図５】本考案に係る錠装置の解錠時状態の背面図である。
【図６】本考案に係る錠装置の止め板とカムが連動する様子を表した背面図である。
【図７】本考案に係る錠装置の止め板とストッパーが衝突する様子を表した右側面図である。
【図８】本考案に係る錠装置の止め板によってストッパーが回動する様子を表した右側面図である。
【図９】本考案に係る錠装置のストッパーによって止め板が静止する様子を表した右側面の部分断面拡大図である。
【図１０】実施例に係る本考案の錠装置を用いた扉を持つ保管庫の斜視図である。
【考案を実施するための形態】
【００１３】  以下、本考案の具体的な実施例について図面に基づいて説明する。
【実施例】
【００１４】  図２に示すように、錠前装置はカムロック錠１、戸板２、固定板３、弾性体４、弾性体５、止め板６、軸受７、押さえ板８、軸９、軸１０、ストッパー１１からなる。【００１５】  ストッパー１１は軸１０が通過する貫通穴１１ｂがあり、弾性体４を取付部１１ｃと固定板３の取付部３ａで接続し、傾斜面を持った鉤形状部位１１ａを備えている。【００１６】  止め板６はストッパー１１の鉤形状部位１１ａが引っ掛かる受け面６ｃを持ち、軸９の軸受７が通過する穴６ｅがあり、弾性体５を取付部６ｄと固定板３の取付部３ｃで接続している。【００１７】  図１、図２に示すように戸板２はストッパー１１に直接干渉を行うための開口部２ｂがあり、カムロック錠１が配設されている。【００１８】  固定板３は止め板６の受け面３ｅとその受け面３ｅ上に軸９が通過する穴３ｄを備える。【００１９】  図３に示すように戸板２には固定板３が取り付けられており、ストッパー１１は軸１０を介し、固定板３に取り付いており、弾性体４による力で鉤形状部位１１ａが戸板２に倒れ込むように回動する。【００２０】  図４に示すように止め板６は押さえ板８と固定板３との間に挟まった状態で軸受７が取り付いており、軸９で回動ができるよう固定され、また、図５に示すように弾性体５による力で回動し、止め板６はカムロック錠１のシリンダー部側面に衝突させることによって回動を妨げ静止する。【００２１】  カムロック錠１に鍵を差し込み、回すことで、図６に示すように静止状態の止め板６にカム１ａを衝突させ、さらに鍵を回すと止め板６は弾性体５による回動方向とは逆向きに回動し、図７に示すように鉤形状部位１１ａに衝突し、鉤形状部位１１ａの斜面部を止め板６によって押し上げられ、図８に示すようにストッパー１１は弾性体４による回動方向とは逆向きに回動し、止め板６がストッパー１１の鉤形状部位１１ａを通過すると、図９に示すようにストッパー１１は再び弾性体４によって鉤形状部位１１ａが戸板２に倒れ込むように回動、静止し、鉤形状部位１１ａが受け面６ｃに衝突し、止め板６は引き留められ静止する。【００２２】  図１のようにストッパー１１により引き留められた止め板６の一部６ａは戸板２の外側に露出する。【００２３】  戸板２の開口部２ｂから直接触手などによりストッパー１１に弾性体４による回動方向とは逆向きに回動する力をストッパー１１に加えると、鉤形状部位１１ａが浮き上がり、障害物のなくなった止め板６は弾性体５の力によって再び回動し、カムロック錠１のシリンダー部側面に衝突し、静止する。【００２４】  図１０に示すように本考案を用いた戸板を保管庫の扉とし、扉の開閉軸を底面側へ設けることで施錠時は止め板６によって扉を引き留め、解錠時は止め板６が戸板内側へ入り込むことで、扉を開くことができる。
【符号の説明】
【００２５】１  カムロック錠
１ａ  カム
２  戸板
２ｂ  開口部
３  固定板
３ａ  取付部
３ｂ  貫通穴
３ｃ  取付部
３ｄ  穴
３ｅ  受け面
４  弾性体
５  弾性体
６  止め板
６ａ  一部
６ｃ  受け面
６ｄ  取付部
６ｅ  穴
７  軸受
８  押さえ板
８ａ  穴
９  軸
１０  軸
１１  ストッパー
１１ａ  鉤形状部位
１１ｂ  貫通穴
１１ｃ  取付部
【図１】
0003197691.tif 000003
【図２】
0003197691.tif 000004
【図３】
0003197691.tif 000005
【図４】
0003197691.tif 000006
【図５】
0003197691.tif 000007
【図６】
0003197691.tif 000008
【図７】
0003197691.tif 000009
【図８】
0003197691.tif 000010
【図９】
0003197691.tif 000011
【図１０】
0003197691.tif 000012
【手続補正書】
【提出日】平成27年3月16日(2015.3.16)
【手続補正１】
【補正対象書類名】実用新案登録請求の範囲
【補正対象項目名】請求項１
【補正方法】変更
【補正の内容】
【請求項１】
カムロック錠が配設され、開口部を備えた戸板に対して、固定板が取り付けられており、
この固定板は止め板を受ける受け面を備えており、
前記カムロック錠のシリンダー部に垂直なストッパーの回動軸と傾斜面のある鉤形状部位を備えたストッパーが、前記固定板に前記ストッパーの回動軸を介して固定され、
前記止め板は前記ストッパーの鉤形状部位を受ける受け面と前記シリンダー部に平行な前記止め板の回動軸を備え、
前記止め板が前記止め板の回動軸を介して前記固定板に固定され、
前記止め板と前記固定板は前記止め板の弾性体で接続され、
前記ストッパーが前記固定板と前記ストッパーの弾性体で接続されたことを特徴とする錠前装置。
【手続補正２】
【補正対象書類名】明細書
【補正対象項目名】００２５
【補正方法】変更
【補正の内容】
【００２５】１  カムロック錠
１ａ  カム
１ｂ  シリンダー部
２  戸板
２ｂ  開口部
３  固定板
３ａ  取付部
３ｂ  貫通穴
３ｃ  取付部
３ｄ  穴
３ｅ  受け面（止め板を受ける面）
４  弾性体（ストッパーの弾性体）
５  弾性体（止め板の弾性体）
６  止め板
６ａ  一部
６ｃ  受け面（鉤形状部位を受ける面）
６ｄ  取付部
６ｅ  穴
７  軸受
８  押さえ板
８ａ  穴
９  軸（止め板の回動軸）
１０  軸（ストッパーの回動軸）
１１  ストッパー
１１ａ  鉤形状部位
１１ｂ  貫通穴
１１ｃ  取付部
【手続補正３】
【補正対象書類名】図面
【補正対象項目名】図２
【補正方法】変更
【補正の内容】
【図２】
0003197691.tif 000013
【手続補正４】
【補正対象書類名】図面
【補正対象項目名】図７
【補正方法】変更
【補正の内容】
【図７】
0003197691.tif 000014
【手続補正５】
【補正対象書類名】図面
【補正対象項目名】図８
【補正方法】変更
【補正の内容】
【図８】
0003197691.tif 000015
【手続補正６】
【補正対象書類名】図面
【補正対象項目名】図９
【補正方法】変更
【補正の内容】
【図９】
0003197691.tif 000016